(57)【要約】【課題】この発明は、包装コストの低減及びゴミの減量に加えて、コンパクト化及び軽量化を図ることができるとともに、運搬や保管等の取り扱いが簡単且つ容易に行えるティシュペーパ用包装構造の提供を目的とする。【解決手段】ティシュペーパ用包装構造１は、一束分のティシュペーパ束３が収容されたティシュボックス２と、５束のティシュペーパ束３からなるティシュペーパ群４とを上下に積み重ねたまま、合成樹脂製の包装フィルム５でシュリンク包装している。ティシュペーパ３ａを使用する際は、包装フィルム５を開封して、一束分のティシュペーパ束３が収容されたティシュボックス２を包装フィルム５から取り出して使用する。空のティシュボックス２にティシュペーパ束３を補充する際は、一束分のティシュペーパ束３を包装フィルム５から取り出して空のティシュボックス２に直接補充する。【選択図】図２
2010100298.tif 000002
【特許請求の範囲】
【請求項１】
多数枚のティシュペーパを相互に折り重ねてなる未包装のティシュペーパ束が収容されるティシュボックスと、
前記未包装のティシュペーパ束を複数集積してなるティシュペーパ群とを備えた
ティシュペーパ用包装構造。
【請求項２】
前記ティシュボックス及びティシュペーパ群の外面全体が覆われるように包装体で包装した
請求項１に記載のティシュペーパ用包装構造。
【請求項３】
前記ティシュペーパ束を、前記ティシュペーパの積み重ね方向に結束体を巻き付けて一体的に結束した
請求項１又は２に記載のティシュペーパ用包装構造。
【請求項４】
前記ティシュペーパ群を、前記ティシュペーパ束の積み重ね方向に結束体を巻き付けて一体的に結束した
請求項１〜３のいずれか一つに記載のティシュペーパ用包装構造。
【請求項５】
前記ティシュボックス及びティシュペーパ群を、該ティシュボックス及びティシュペーパ束の積み重ね方向に結束体を巻き付けて一体的に結束した
請求項１〜４のいずれか一つに記載のティシュペーパ用包装構造。
【請求項６】
前記上下に積み重ねられる各ティシュペーパ束の間に、シート状の間仕切りを敷設した
請求項１〜５のいずれか一つに記載のティシュペーパ用包装構造。
【請求項７】
前記ティシュペーパ群の一側外面と前記包装体の一側内面との間に、前記ティシュペーパ束の積み重ね数に応じて最上層に積み重ねられたティシュペーパ束の上面と対向する方向に折曲げ自在な間仕切りシートを挿入した
請求項１〜６のいずれか一つに記載のティシュペーパ用包装構造。
【請求項８】
前記ティシュペーパ群の一側外面と前記包装体の一側内面との間に、前記ティシュペーパ束が収容されるシート状のティシュボックスを挿入した
請求項１〜７のいずれか一つに記載のティシュペーパ用包装構造。
【請求項９】
前記ティシュボックス及びティシュペーパ群の全体を包装する包装体の側面に、前記ティシュペーパ束の積み重ね方向と直交して切り離し用のミシン目を形成するとともに、該ミシン目を、前記ティシュペーパ群が一束分のティシュペーパ束に分離される上下間隔に隔てて複数本配列した
請求項１〜８のいずれか一つに記載のティシュペーパ用包装構造。
【発明の詳細な説明】
【技術分野】
【０００１】
この発明は、例えば包装コストの低減及びゴミの減量を図ることができるとともに、運搬や保管等の取り扱いが容易に行えるようにしたティシュペーパ用包装構造に関する。
【背景技術】
【０００２】
従来、前記ティシュペーパを包装する構造としては、例えば詰替用ティシュボックスに２個の補充用ティシュペーパを包装袋で包装したまま収容し、残り３個の補充用ティシュペーパを詰替用ティシュボックスの上に積み重ねた後、２個の補充用ティシュペーパが収容された詰替用ティシュボックスと、詰替用ティシュボックス上に積み重ねられた残り３個の補充用ティシュペーパとの全体を透明の合成樹脂フィルムで外装する構成が特許文献１の補充用ティシュペーパの包装構造に開示されている（段落００２４参照）。
【０００３】
しかし、詰替用ティシュボックスに収容される２個の補充用ティシュペーパと、詰替用ティシュボックス上に積み重ねられる３個の補充用ティシュペーパとを包装袋で個々に包装しなければならず、補充用ティシュペーパの包装作業に手間及び時間が掛かる。また、包装袋から補充用ティシュペーパを取り出した際に、補充用ティシュペーパの外面全体を覆っている包装袋を廃棄処分しなければならず、包装袋の廃棄量が多いため、包装コストが高くなる。
【特許文献１】特開２００１−３４０２５７号公報
【発明の開示】
【発明が解決しようとする課題】
【０００４】
この発明は、包装コストの低減及びゴミの減量を図ることができるとともに、運搬や保管等の取り扱いが容易に行えるようにしたティシュペーパ用包装構造を提供することを目的とする。
【課題を解決するための手段】
【０００５】
この発明は、多数枚のティシュペーパを相互に折り重ねてなる未包装のティシュペーパ束が収容されるティシュボックスと、前記未包装のティシュペーパ束を複数集積してなるティシュペーパ群とを備えたティシュペーパ用包装構造であることを特徴とする。  
これにより、ティシュペーパ束の外面全体を覆うための包装体、ティシュペーパ束を個々に収容するためのティシュボックス等が不要となり、包装コストの低減及びゴミの減量を図ることができる。また、一つのティシュボックスにティシュペーパ束を補充して使用するので、ティシュボックスの個数が少なくて済む。  
なお、包装とは、例えば袋、フィルム等の包装体でティシュペーパ束の外面全体を覆うことを指し、ティシュペーパ束の一部外面に結束体を巻き付けることは、この発明でいう「包装」にはあたらない。
【０００６】
また、この発明の態様として、前記ティシュボックス及びティシュペーパ群の外面全体が覆われるように包装体で包装することができる。  
これにより、未包装のティシュペーパ束の積み重ね状態が維持されるとともに、ティシュボックス及びティシュペーパ群の全体を一括して移動することができる。
【０００７】
また、この発明の態様として、前記ティシュペーパ束を、前記ティシュペーパの積み重ね方向に結束体を巻き付けて一体的に結束することができる。  
これにより、一つのティシュペーパ群を、ティシュボックスに収容される一束分のティシュペーパ束に分離する作業が簡単且つ容易に行える。さらに、ティシュペーパの折り重ね状態が乱れることがなく、一束分のティシュペーパ束を、ティシュペーパの折り重ね状態を維持したままティシュボックスに収容することができる。
【０００８】
また、この発明の態様として、前記ティシュペーパ群を、前記ティシュペーパ束の積み重ね方向に結束体を巻き付けて一体的に結束することができる。  
これにより、複数のティシュペーパ束を一つの群として取り扱うことができるとともに、一つのティシュボックスと、複数のティシュペーパ束からなるティシュペーパ群とを上下に積み重ねる作業が簡単且つ容易に行える。
【０００９】
また、この発明の態様として、前記ティシュボックス及びティシュペーパ群を、該ティシュボックス及びティシュペーパ束の積み重ね方向に結束体を巻き付けて一体的に結束することができる。  
これにより、ティシュボックスとティシュペーパ群とを一括して取り扱うことができる。
【００１０】
また、この発明の態様として、前記上下に積み重ねられる各ティシュペーパ束の間に、シート状の間仕切りを敷設することができる。  
これにより、一つのティシュペーパ群を、ティシュボックスに収容される一束分のティシュペーパ束に分離する作業が簡単且つ容易に行え、ティシュペーパ束を結束する結束体及び結束作業が不要となる。
【００１１】
また、この発明の態様として、前記ティシュペーパ群の一側外面と前記包装体の一側内面との間に、前記ティシュペーパ束の積み重ね数に応じて最上層に積み重ねられたティシュペーパ束の上面と対向する方向に折曲げ自在な間仕切りシートを挿入することができる。  
つまり、１束分のティシュペーパ束を包装体から取り出した後、間仕切りシートを内側へ折り曲げて２束目のティシュペーパ束の上面が覆われるように折り重ねる。これにより、残りのティシュペーパ束或いはティシュペーパが散乱するのを防止することができる。
【００１２】
また、この発明の態様として、前記ティシュペーパ群の一側外面と前記包装体の一側内面との間に、前記ティシュペーパ束が収容されるシート状のティシュボックスを挿入することができる。  
これにより、箱形状に組み立てられたティシュボックス上にティシュペーパ群を載置するよりも、構造全体のまとまりが良いので、嵩張らず、コンパクト化を図ることができる。また、製造時においてティシュボックスの組立作業が不要となり、コストの低減を図ることができる。また、資源を大切にするという意識を使用者に与えることができる。
【００１３】
また、この発明の態様として、前記ティシュボックス及びティシュペーパ群の全体を包装する包装体の側面に、前記ティシュペーパ束の積み重ね方向と直交して切り離し用のミシン目を形成するとともに、該ミシン目を、前記ティシュペーパ群が一束分のティシュペーパ束に分離される上下間隔に隔てて複数本配列することができる。  
これにより、包装体を開封しなくても、ティシュボックスとティシュペーパ束とを、包装体に形成されたミシン目に沿って上下分離することができる。
【００１４】
前記包装体は、例えば手で開封することが可能な厚さ或いは材質（紙、合成樹脂を含む）で形成された袋、フィルム等で構成することができる。  
また、結束体は、例えば手で切断することが可能な厚さ或いは材質（紙、合成樹脂を含む）で形成された結束帯や結束紐、結束糸等で構成することができる。  
また、間仕切り及び間仕切りシートは、例えば紙、木、繊維、合成樹脂で形成された栞や不織布等で構成することができる。  
また、間仕切り及び間仕切りシートの厚みは、ティシュペーパの折り重ね状態及び各ティシュペーパ束の積み重ね状態が損なわれないような厚さが望ましい。
【発明の効果】
【００１５】
この発明によれば、包装コストの低減及びゴミの減量に加えて、コンパクト化及び軽量化を図ることができるとともに、運搬や保管等の取り扱いが簡単且つ容易に行える。
【発明を実施するための最良の形態】
【００１６】
図１は、本発明の実施形態の一例であるティシュペーパ用包装構造１のティシュボックス２とティシュペーパ群４との積み重ね方を示す斜視図である。図２は、ティシュボックス２及びティシュペーパ群４の積み重ね状態とシュリンク包装状態を示す斜視図である。図３は、ティシュボックス２及びティシュペーパ束３の分離方法を示す斜視図である。図４は、一束分のティシュペーパ束３をティシュボックス２に補充する方法を示す斜視図である。
【００１７】
ティシュペーパ用包装構造１は、多数枚のティシュペーパ３ａを相互に折り重ねてなる未包装のティシュペーパ束３が一束収容された箱形状を有する紙製のティシュボックス２上に、未包装のティシュペーパ束３を上下に５束集積してなるティシュペーパ群４を載置した後、ティシュボックス２及びティシュペーパ群４の外面全体が覆われるように、図示しないシュリンク包装機により合成樹脂製の包装フィルム５を密着させてシュリンク包装した構造である（図２参照）。
【００１８】
なお、包装とは、例えば袋、フィルム等の包装体でティシュペーパ束３の外面全体を覆うことを指し、ティシュペーパ束３の中央部外面に後述する結束帯６を巻き付けることは、この発明でいう「包装」にはあたらない。
【００１９】
また、包装フィルム５の上面には、シュリンク包装されたティシュボックス２及びティシュペーパ群４の全体を運搬するための把持部５ａを連設している。
【００２０】
ティシュペーパ束３は、通常、ティシュボックス２に収容される一般的な枚数のティシュペーパ３ａを相互に折り重ねられている。これにより、上から１枚目のティシュペーパ３ａ（実際には２枚重ねになっているため１組）を取り出すたびに、２枚目のティシュペーパ３ａが連なって取り出されるようにして折り重ねられている。
【００２１】
また、多数枚のティシュペーパ３ａを相互に折り重ねてなるティシュペーパ束３の長手方向の中央部には、ティシュペーパ束３の積み重ね方向Ａに対し帯封である紙製の結束帯６を１回又は複数回巻き付けて一体的に結束している。
【００２２】
結束帯６は、利用者の手で切断することが可能な厚さ及び幅に形成されているが、結束帯６の幅方向に、例えばミシン目、切れ目等を形成してもよい。
【００２３】
これにより、未包装のティシュペーパ束３からなる一つのティシュペーパ群４を、各ティシュペーパ束３…の間を境目として、ティシュボックス２に収容される一束分のティシュペーパ束３に分離する作業が簡単且つ容易に行える。さらに、未包装のティシュペーパ束３を一束毎に結束しているので、ティシュペーパ３ａの折り重ね状態が乱れることがなく、一束分のティシュペーパ束３を、ティシュペーパ３ａの折り重ね状態を維持したままティシュボックス２に収容することができる。
【００２４】
ティシュボックス２は、図４にも示すように，箱形態を維持するのに必要な厚み或いは剛性を有する板紙で形成され、一束分のティシュペーパ束３の収容が許容される箱形状に組み立てられている。
【００２５】
箱本体２ａの内部には、一束分のティシュペーパ束３を収容するための収容部２ｂが形成されている。また、箱本体２ａの上面中央には、収容部２ｂからティシュペーパ束３の最上面に折り重ねられたティシュペーパ３ａを取出すための取出口２ｃが形成されている。
【００２６】
箱本体２ａの両端には、一束分のティシュペーパ束３を補充するための補充口２ｄが開閉自在に設けられている。その補充口２ｄの左右縁部には左右フラップ２ｅ，２ｅが連設されている。また、補充口２ｄの上下縁部には上下フラップ２ｆ，２ｆが連設されている。
【００２７】
補充口２ｄを閉じる際は、左右フラップ２ｅ，２ｅ及び上下フラップ２ｆ，２ｆを内側へ折り曲げた後、上側のフラップ２ｆに形成された差込み片２ｇを、下側のフラップ２ｆに形成された差込み孔２ｈに差し込むことで、補充口２ｄが閉塞される。
【００２８】
また、補充口２ｄを開ける際は、差込み片２ｇを差込み孔２ｈから引き抜いて、左右フラップ２ｅ，２ｅ及び上下フラップ２ｆ，２ｆを外側へ広げることで、補充口２ｄが開口される。
【００２９】
図示実施例は前記の如く構成するものにして、以下、ティシュペーパ用包装構造１のティシュボックス２にティシュペーパ束３を補充する補充方法を説明する。
【００３０】
先ず、図３に示すように、ティシュボックス２及びティシュペーパ群４の全体を包装する包装フィルム５の下端を開封して、包装フィルム５からティシュボックス２を取り出した後、ティシュボックス２に収容されたティシュペーパ３ａを使用する。
【００３１】
ティシュボックス２に収容された全てのティシュペーパ３ａが使用され、空になるまではティシュペーパ束３を補充する必要がないので、ティシュボックス２を取り出した後、包装フィルム５の開口部が上向きとなるようにティシュペーパ群４全体を上下反転して、包装フィルム５の開口側周縁部を内側へ折り曲げて閉塞しておけばよい。これにより、補充用の各ティシュペーパ束３…を運搬或いは保管する等の取り扱いが一括して行えるとともに、ティシュペーパ束３が散乱するのを防止することができる。
【００３２】
全てのティシュペーパ３ａが使用され、空になったティシュボックス２にティシュペーパ束３を補充する際には、包装フィルム５を開封して、包装フィルム５から未包装のティシュペーパ束３を一束取り出した後、ティシュペーパ束３に巻き付けられた結束帯６を手で切断するか、鋏やカッタ等の切断具で切断して結束解除する。
【００３３】
次に、図４に示すように、ティシュボックス２の右側補充口２ｄに連設された左右フラップ２ｅ，２ｅ及び上下フラップ２ｆ，２ｆを外側へ広げ、右側補充口２ｄを開口した後、ティシュボックス２の右側補充口２ｄから、結束解除されたティシュペーパ束３を一束分補充する。
【００３４】
この後、左右フラップ２ｅ，２ｅ及び上下フラップ２ｆ，２ｆを内側へ折り曲げ、上側フラップの差込み片２ｇを下側フラップの差込み孔２ｈに差し込んで、補充口２ｄを閉塞すれば、ティシュボックス２に対するティシュペーパ束３の補充が完了する。
【００３５】
以上のように、一束分のティシュペーパ束３が収容されたティシュボックス２上に、多数枚のティシュペーパ３ａを相互に折り重ねてなる未包装のティシュペーパ束３を５束積み重ねたまま、合成樹脂製の包装フィルム５でシュリンク包装している。これにより、ティシュペーパ束３の外面全体を覆うための包装体が不要となり、包装コストの低減及びゴミの減量に加えて、コンパクト化及び軽量化を図ることができ、運搬や保管等の取り扱いが簡単且つ容易に行える。また、一つのティシュボックス２にティシュペーパ束３を補充するので、ティシュボックス２の個数が少なくて済む。
【００３６】
また、箱形状に組み立てられたティシュボックス２の外面と、未包装のティシュペーパ束３を上下に集積してなるティシュペーパ群４の外面とが覆われるように、合成樹脂製の包装フィルム５を密着させてシュリンク包装するので、未包装のティシュペーパ束３の積み重ね状態が維持されるとともに、ティシュボックス２及びティシュペーパ群４の全体を一括して移動することができる。且つ、運搬時や保管時等において、荷崩れが起きるのを防止することができる。
【００３７】
図５は、ティシュペーパ群４上にティシュボックス２を載置してシュリンク包装した包装構造１の他の例を示す斜視図である。つまり、５束のティシュペーパ束３からなるティシュペーパ群４上に、ティシュペーパ束３が収容されたティシュボックス２を載置した後、ティシュボックス２及びティシュペーパ群４の全体に包装フィルム５を被覆してシュリンク包装している。
【００３８】
先ず、包装フィルム５の上端を開封して、包装フィルム５からティシュボックス２を取り出した後、ティシュボックス２に収容されたティシュペーパ３ａを使用する。また、空になったティシュボックス２にティシュペーパ束３を補充する際には、包装フィルム５を開封して、包装フィルム５から取り出した一束分のティシュペーパ束３をティシュボックス２に補充するので、前記実施例と略同等の作用及び効果を奏することができる。
【００３９】
図６は、ティシュボックス２及びティシュペーパ群４を帯封である幅広の結束帯７で結束した包装構造のその他の例を示す斜視図である。つまり、上下に積み重ねられたティシュボックス２及びティシュペーパ群４の長手方向の中央部に、ティシュボックス２及びティシュペーパ群４の積み重ね方向Ａに対し結束帯７を１回又は複数回巻き付けて一体的に結束している。
【００４０】
これにより、ティシュボックス２とティシュペーパ群４とを一括して取り扱うことができるとともに、運搬や保管等の取り扱いが簡単且つ容易に行える。また、ティシュボックス２に対しティシュペーパ群４を積み重ねたまま一括してシュリンク包装するので、前記実施例と略同等の作用及び効果を奏することができる。或いは、図７に示すように、ティシュボックス２と、個々に結束された各ティシュペーパ束３…からなるティシュペーパ群４とを結束帯７で結束してもよい。
【００４１】
図８は、ティシュペーパ群４のみを結束帯７で結束した包装構造のその他の例を示す斜視図である。つまり、５束のティシュペーパ束３からなるティシュペーパ群４の長手方向の中央部に、ティシュペーパ群４の積み重ね方向Ａに対し結束帯７を１回又は複数回巻き付けて一体的に結束している。
【００４２】
これにより、５束のティシュペーパ束３を一括して取り扱うことができるとともに、一つのティシュボックス２と、５束のティシュペーパ束３からなるティシュペーパ群４とを上下に積み重ねる作業が簡単且つ容易に行える。また、ティシュボックス２に対しティシュペーパ群４を積み重ねたまま一括してシュリンク包装するので、前記実施例と略同等の作用及び効果を奏することができる。
【００４３】
図９は、上下に積み重ねられる各ティシュペーパ束３…の間にシート状の間仕切り８を敷設した包装構造のその他の例を示す斜視図である。つまり、下側に配置されるティシュペーパ束３の最上面に折り重ねられたティシュペーパ３ａと、上側に配置されるティシュペーパ束３の最下面に折り重ねられたティシュペーパ３ａとの間に、再生紙で形成された肉厚の薄いシート状の間仕切り８を挿入している。上述と同様に、残りの各ティシュペーパ束３…の間にも間仕切り８を１枚ずつ挿入している。
【００４４】
これにより、上下に積み重ねられた各ティシュペーパ束３…の境目が不明確になることがなく、一つのティシュペーパ群４を、各ティシュペーパ束３…の間に挿入された間仕切り８を境目として、ティシュボックス２に収容される一束分のティシュペーパ束３に分離する作業が簡単且つ容易に行える。さらに、各ティシュペーパ束３…を結束する結束体及び結束作業が不要となるだけでなく、間仕切り８を何回も繰り返し使用することができるので、包装コストの低減及びゴミの減量を図ることができる。また、ティシュボックス２に対しティシュペーパ群４を積み重ねたまま一括してシュリンク包装するので、前記実施例と略同等の作用及び効果を奏することができる。
【００４５】
図１０は、ティシュペーパ群４の一側外面と包装フィルム５の一側内面との間に、ティシュペーパ束３の積み重ね数に応じて折り曲げ自在な再生紙で形成された間仕切りシート９を挿入した包装構造のその他の例を示す斜視図である。
【００４６】
間仕切りシート９の側面には、ティシュペーパ束３の積み重ね方向Ａと直交してミシン目等の折り目９ａを形成するとともに、該折り目９ａを一束分のティシュペーパ束３と対応する上下間隔に隔てて複数本配列している。これにより、ティシュペーパ束３の積み重ね数に応じて、最上層に積み重ねられたティシュペーパ束３の上面と対向する方向へ折り曲げることができる。
【００４７】
つまり、包装フィルム５を開封して、ティシュボックス２を取り出した後、包装フィルム５の開封側が上向きとなるようにティシュペーパ群４全体を上下反転して、１束分のティシュペーパ束３を包装フィルム５から取り出す。このとき、間仕切りシート９を、２層目のティシュペーパ束３と対応する位置に形成された折り目９ａに沿って内側へ折り曲げ、該ティシュペーパ束３の上面が覆われるように折り重ねる。
【００４８】
これにより、残りのティシュペーパ束３或いはティシュペーパ３ａが散乱するのを防止することができる。また、ティシュペーパ３ａが変質或いは変色するのを抑えることができる。且つ、前記実施例と略同等の作用及び効果を奏することができる。
【００４９】
なお、間仕切り８及び間仕切りシート９は、再生紙以外に、例えば木、繊維、合成樹脂等の材質で形成してもよい。また、間仕切り８の厚みは、ティシュペーパ３ａの折り重ね状態及び各ティシュペーパ束３…の積み重ね状態が損なわれないような厚さが望ましい。
【００５０】
図１１は、ティシュペーパ群４の一側外面と包装フィルム５の一側内面との間に、シート状のティシュボックス２を挿入した包装構造のその他の例を示す斜視図である。
【００５１】
つまり、包装フィルム５を開封した後、シート状のティシュボックス２を包装フィルム５から取り出して箱形状に組み立てる。そのティシュボックス２に、包装フィルム５から取り出した１束分のティシュペーパ束３を収容して使用する。
【００５２】
これにより、箱形状に組み立てられたティシュボックス２上にティシュペーパ群４を載置するよりも、構造全体のまとまりが良いので、嵩張らず、コンパクト化を図ることができる。また、運搬や保管等に要するスペースが小さくて済む。且つ、前記実施例と略同等の作用及び効果を奏することができる。
【００５３】
また、製造時においてティシュボックス２の組立作業が不要となり、コストの低減を図ることができる。また、資源を大切にするという意識を使用者に与えることができる。
【００５４】
図１２は、ティシュボックス２及びティシュペーパ群４の全体を包装する包装フィルム５の側面に、切り離し用のミシン目５ｂを複数本配列した包装構造のその他の例を示す斜視図である。
【００５５】
つまり、包装フィルム５の側面には、ティシュペーパ束３の積み重ね方向Ａと直交して切り離し用のミシン目５ｂを形成するとともに、該ミシン目５ｂを、ティシュペーパ群４が一束分のティシュペーパ束３に分離される上下間隔に隔てて複数本配列している。
【００５６】
これにより、包装フィルム５を開封しなくても、ティシュボックス２とティシュペーパ束３とを、包装フィルム５に形成されたミシン目５ｂに沿って上下に分離することができる。且つ、前記実施例と略同等の作用及び効果を奏することができる。
【００５７】
図１３は、包装フィルム５でシュリンク包装せず、ティシュボックス２及びティシュペーパ群４を結束帯７のみで結束した包装構造のその他の例を示す斜視図である。つまり、ティシュペーパ群４に巻き付けられた結束帯７を切断して、ティシュペーパ群４から分離したティシュペーパ束３をティシュボックス２に補充する。これにより、包装フィルム５が不要となり、包装コストの低減及びゴミの減量を図ることができる。
【００５８】
また、ティシュペーパ群４からティシュペーパ束３を分離した後、結束帯７の両端を、例えば面ファスナー、粘着テープ、粘着剤等の固定手段で固定してもよい。これにより、残りのティシュペーパ束３或いはティシュペーパ３ａが散乱するのを防止することができる。
【００５９】
この発明の構成と、前記実施形態との対応において、
この発明の結束体は、実施形態の結束帯６，７に対応し、  
以下同様に、  
包装体は、包装フィルム５に対応するも、
この発明は、上述の実施形態の構成のみに限定されるものではなく、請求項に示される技術思想に基づいて応用することができ、多くの実施の形態を得ることができる。
【００６０】
前記ティシュボックス２上に、前記積み重ね方向Ａと直交する方向に未包装のティシュペーパ束３を集積してなるティシュペーパ群４を載置して包装してもよい。
【００６１】
また、前記差込み片２ｇを差込み孔２ｈに差し込む代わりに、例えば面ファスナー、マグネット、或いは、繰返し剥離可能な粘着剤、両面粘着テープ等で閉塞状態を保持してもよい。また、ティシュボックス２を、例えば合成樹脂、金属、木等の材質で製作できるのは勿論である。
【００６２】
また、ティシュペーパ群４の各ティシュペーパ束３…を識別可能な所望する色に配色（例えば白色、赤色、黄色、青色、緑色等）してもよい。つまり、各ティシュペーパ束３…を個々に結束する必要がなく、各ティシュペーパ束３…の配色によって一束に分離することができる。
【００６３】
或いは、ティシュペーパ束３の最上面又は最下面に折り重ねられたティシュペーパ３ａを、該最上面又は最下面のティシュペーパ３ａを除く残りのティシュペーパ３ａとの識別が可能な所望する色に配色してもよい。
【００６４】
つまり、一つのティシュペーパ群４を、各ティシュペーパ束３…の所望する色に配色されたティシュペーパ３ａを目安として、一束分のティシュペーパ束３に分離することができる。なお、前記配色は、前記白色、赤色、黄色、青色、緑色以外の所望する色に変更してもよい。
【図面の簡単な説明】
【００６５】
【図１】ティシュペーパ用包装構造のティシュボックスとティシュペーパ群との積み重ね方を示す斜視図。
【図２】ティシュボックス及びティシュペーパ群の積み重ね状態とシュリンク包装状態を示す斜視図。
【図３】ティシュボックス及びティシュペーパ束の分離方法を示す斜視図。
【図４】ティシュボックスにティシュペーパ束を補充する方法を示す斜視図。
【図５】ティシュペーパ群上にティシュボックスを載置してシュリンク包装した包装構造の他の例を示す斜視図。
【図６】ティシュボックス及びティシュペーパ群を幅広の結束帯で結束してシュリンク包装した包装構造のその他の例を示す斜視図。
【図７】ティシュボックスと、既に結束された各ティシュペーパ束からなるティシュペーパ群とを幅広の結束帯で結束したその他の例を示す斜視図。
【図８】ティシュペーパ群のみを幅広の結束帯で結束した包装構造のその他の例を示す斜視図。
【図９】各ティシュペーパ束の間に間仕切りを挿入した包装構造のその他の例を示す斜視図。
【図１０】ティシュペーパ群と包装フィルムとの間に間仕切りシートを挿入した包装構造のその他の例を示す斜視図。
【図１１】ティシュペーパ群と包装フィルムとの間に、シート状に展開されたティシュボックスを挿入した包装構造のその他の例を示す斜視図。
【図１２】包装フィルムの側面に切り離し用のミシン目を形成した包装構造のその他の例を示す斜視図。
【図１３】ティシュボックス及びティシュペーパ群を幅広の結束帯のみで結束した包装構造のその他の例を示す斜視図。
【符号の説明】
【００６６】
Ａ…積み重ね方向
１…ティシュペーパ用包装構造
２…ティシュボックス
３…ティシュペーパ束
３ａ…ティシュペーパ
４…ティシュペーパ群
５…包装フィルム
５ｂ…ミシン目
６，７…結束帯
８…間仕切り
９…間仕切りシート
９ａ…折り目
【図１】
2010100298.tif 000003
【図２】
2010100298.tif 000004
【図３】
2010100298.tif 000005
【図４】
2010100298.tif 000006
【図５】
2010100298.tif 000007
【図６】
2010100298.tif 000008
【図７】
2010100298.tif 000009
【図８】
2010100298.tif 000010
【図９】
2010100298.tif 000011
【図１０】
2010100298.tif 000012
【図１１】
2010100298.tif 000013
【図１２】
2010100298.tif 000014
【図１３】
2010100298.tif 000015